(57)【要約】  【課題】  【解決手段】音声／映像システムを支持する装置であって、前記システムは薄型スクリーン映像ディスプレイユニットと、操作可能なように当該ディスプレイユニットと接続され前記ユニットで表示可能な映像信号を生成する映像機器と、音声信号を生成する音声機器とを具えており、前記ディスプレイユニットの昇降機構と外部ハウジングを具えている。この外部ハウジングは、ディスプレイユニットを上下に出し入れしうる寸法の頂部開口を有する。映像・音声機器は前記ハウジングに固定的に搭載される。昇降機構はハウジング内で上向きに延在し、プラットホームに搬送されるディスプレイユニットが機構内に格納される下側ポジションと、プラットホームに搬送されるディスプレイユニットが昇降機構と外部ハウジングの上に展開される上側ポジションとの間でディスプレイユニットを搬送するよう構成された昇降プラットホームを具える。好適な実施例において、装置は前記プラットホームが上側ポジションにあるときにディスプレイユニットを支持し当該プラットホームに対して回動可能とするスイベルマウントを具えている。【選択図】図１
2007535227.tif 000002
【特許請求の範囲】
【請求項１】
音声／映像システムを支持する装置であって、前記システムは薄型スクリーン映像ディスプレイユニットと、前記ユニットで表示可能な映像信号を生成する映像機器と、音声信号を生成する音声機器とを具えており、前記装置が：
（ａ）外部ハウジングであって、フロントパネルと、リアパネルと、前記フロントパネルとリアパネルの間で前記ハウジングのベースから前記ハウジングの頂部まで延在する両側のサイドパネルとを具え、前記頂部が前記ディスプレイユニットを上下に移動しうるサイズの細長い開口を具え、前記映像機器と前記音声機器が前記ハウジングに固定的に取り付けられた外部ハウジングと；
（ｂ）前記ディスプレイユニット用の昇降機構とを具え、当該機構は前記外部ハウジング内で上側に延在し、前記機構が：
（ｉ）前記ディスプレイユニットを搬送するよう構成された昇降プラットホームと；
（ｉｉ）前記プラットホームに搬送されるディスプレイユニットが前記機構内に格納される下側ポジションと、前記プラットホームに搬送されるディスプレイユニットが前記昇降機構と外部ハウジングの上に展開される上側ポジションとの間で前記プラットホームを移動させる手段と、を具えることを特徴とする装置。
【請求項２】
請求項１に記載の装置において、前記プラットホームが両端部を有し、各端部が対応するモータに駆動される対応するドライブベルトにより移動され、前記プラットホームが上側および下側のポジションに移動することを特徴とする装置。
【請求項３】
請求項１に記載の装置において、さらに、前記ディスプレイユニットを支持し、前記プラットホームが上側ポジションにあるときに当該プラットホームに対して回動可能とするスイベルマウントを具えることを特徴とする装置。
【請求項４】
請求項２に記載の装置において、さらに、前記ディスプレイユニットを支持し、前記プラットホームが上側ポジションにあるときに当該プラットホームに対して回動可能とするスイベルマウントを具えることを特徴とする装置。
【請求項５】
請求項１に記載の装置において、前記フロントパネルが前記ベースに取り付けられ、、前記リアパネルとサイドパネルと頂部が、前記ベースに着脱可能に取り付けられた単一のユニットとして形成されていることを特徴とする装置。
【請求項６】
請求項２に記載の装置において、前記フロントパネルが前記ベースに取り付けられ、、前記リアパネルとサイドパネルと頂部が、前記ベースに着脱可能に取り付けられた単一のユニットとして形成されていることを特徴とする装置。
【請求項７】
請求項３に記載の装置において、前記フロントパネルが前記ベースに取り付けられ、、前記リアパネルとサイドパネルと頂部が、前記ベースに着脱可能に取り付けられた単一のユニットとして形成されていることを特徴とする装置。
【請求項８】
請求項４に記載の装置において、前記フロントパネルが前記ベースに取り付けられ、、前記リアパネルとサイドパネルと頂部が、前記ベースに着脱可能に取り付けられた単一のユニットとして形成されていることを特徴とする装置。
【請求項９】
音声／映像システムであって、当該システムが：
（ａ）薄型スクリーン映像ディスプレイユニットと、表示可能な映像信号を生成する映像機器と、音声信号を生成する音声機器と；
（ｂ）フロントパネルと、リアパネルと、前記フロントパネルとリアパネルの間で前記ハウジングのベースから前記ハウジングの頂部まで延在する両側のサイドパネルとを具え、前記頂部が前記ディスプレイユニットを上下に移動しうるサイズの細長い開口を具え、前記映像機器と前記音声機器が前記ハウジングに固定的に取り付けられた外部ハウジングと；
（ｃ）前記ディスプレイユニット用の昇降機構とを具え、
当該機構は前記外部ハウジング内で上側に延在し、前記機構が：
（ｉ）前記ディスプレイユニットを搬送するよう構成された昇降プラットホームと；
（ｉｉ）前記プラットホームに搬送されるディスプレイユニットが前記機構内に格納される下側ポジションと、前記プラットホームに搬送されるディスプレイユニットが前記昇降機構と外部ハウジングの上に展開される上側ポジションとの間で前記プラットホームを移動させる手段と、を具えることを特徴とするシステム。
【請求項１０】
請求項９に記載の装置において、前記プラットホームが両端部を有し、各端部が対応するモータに駆動される対応するドライブベルトにより移動され、前記プラットホームが上側および下側のポジションに移動することを特徴とする装置。
【請求項１１】
請求項９に記載の装置において、さらに、前記ディスプレイユニットを支持し、前記プラットホームが上側ポジションにあるときに当該プラットホームに対して回動可能とするスイベルマウントを具えることを特徴とする装置。
【請求項１２】
請求項１０に記載の装置において、さらに、前記ディスプレイユニットを支持し、前記プラットホームが上側ポジションにあるときに当該プラットホームに対して回動可能とするスイベルマウントを具えることを特徴とする装置。
【請求項１３】
請求項９に記載の装置において、前記フロントパネルが前記ベースに取り付けられ、、前記リアパネルとサイドパネルと頂部が、前記ベースに着脱可能に取り付けられた単一のユニットとして形成されていることを特徴とする装置。
【請求項１４】
請求項１０に記載の装置において、前記フロントパネルが前記ベースに取り付けられ、、前記リアパネルとサイドパネルと頂部が、前記ベースに着脱可能に取り付けられた単一のユニットとして形成されていることを特徴とする装置。
【請求項１５】
請求項１１に記載の装置において、前記フロントパネルが前記ベースに取り付けられ、、前記リアパネルとサイドパネルと頂部が、前記ベースに着脱可能に取り付けられた単一のユニットとして形成されていることを特徴とする装置。
【請求項１６】
請求項１２に記載の装置において、前記フロントパネルが前記ベースに取り付けられ、、前記リアパネルとサイドパネルと頂部が、前記ベースに着脱可能に取り付けられた単一のユニットとして形成されていることを特徴とする装置。
【発明の詳細な説明】
【技術分野】
【０００１】
関連出願のクロスリファレンス
本出願は、２００４年１月２３日に出願された米国仮出願番号６０／５３８，２１６、発明者バシル・ノーマン・フリーマンの「薄型スクリーン映像ディスプレイユニットを具える映像／音声システムの支持装置」に関連する。この仮出願の内容はその全体がここに含められており、この出願日の利益のこのような主張を法律的に享受すべく、この仮出願の出願日の利益を主張するものである。
【背景技術】
【０００２】
本発明は、一般に薄型スクリーン映像ディスプレイユニットを具える音声／映像システムの支持装置に関し、チューナや他のユーザコントロール、スピーカ、電気・電子回路およびサブシステムといった映像／音声機器に関する。
【発明の開示】
【発明が解決しようとする課題】
【０００３】
新規な技術の登場とともに、薄型スクリーン映像ディスプレイユニットを具える新型のテレビセットが広く普及している。これらのテレビは通常テーブルトップ、壁面、特別のテレビキャビネットなどに配設される。このように配設された場合、これらはもはや持ち歩くことはできず、そうでなくても家やアパートの他の部屋で見るために当該家やアパートのある部屋から簡単に持ち出すことはできない。さらに、さまざまな住環境において、このようなテレビは、部屋を他の目的に用いようとする場合には望ましくない大きな存在となる。
【課題を解決するための手段】
【０００４】
本発明は、上記の制限に鑑み、薄型スクリーン映像ディスプレイユニットを具える音声／映像システムのディスプレイを、装置の一部をなすハウジングから展開あるいは格納可能に支持し、同時に上述したような映像／音声機器を組み込んだ装置を提供するものである。
【０００５】
より具体的には、本発明の広範な態様において、音声／映像システムの支持装置が提供され、このシステムは薄型スクリーン映像ディスプレイユニットと、当該ディスプレイユニットに操作可能に組み込まれ前記ユニットで表示する映像信号を生成する映像機器と、音声信号を生成する音声機器とを具える。この装置は、ディスプレイユニット用の昇降機構と、外部ハウジングとを具えている。
【０００６】
外部ハウジングは、フロントパネルと、リアパネルと、当該フロントパネルとリアパネル間でハウジングのベースから上側にハウジングの頂部まで延在する両側のサイドパネルとを具え、このハウジングの頂部は、ディスプレイユニットがこれを介して昇降可能なサイズの細長い開口を具えている。前記映像／音声機器は前記ハウジングに固定的に搭載される。好適な実施例において、前記リアパネル、サイドパネル、および頂部は、ベースに着脱可能に取り付けられる単一のユニットとして形成される。この構成により、点検や修理が必要となった場合にハウジングの内側へのアクセスが容易になる。
【０００７】
昇降機構は、前記外部ハウジング内で上方向に延在しており、前記ディスプレイユニットを搬送するよう構成された昇降プラットホームと、当該プラットホームに搬送されるディスプレイユニットが機構内に格納される下側ポジションと、プラットホームに搬送されるディスプレイユニットが前記昇降機構と外部ハウジングの上に展開される上側ポジションとの間で前記プラットホームを移動させる手段とを具えている。好適な実施例において、この装置は前記プラットホームが上側ポジションにあるときにディスプレイユニットを支持するとともに回転可能とするスイベルマウントを具えている。
【０００８】
本発明にかかる装置は、テレビを見るのに最適なスリムでコンパクトな様子に予め構成されている一方、魅力的な外観と、ある場所から別の場所へと簡単に移動できる可搬性を有している。装置内で敏感な電子部品は保護された場所に収められていることを理解すれば、家やオフィスで安全に移動することができる。
【０００９】
さらに、この装置は、ＤＶＤプレイヤーやアンプやスピーカといった外部の周辺装置がなく簡単にセットアップすることができる。この構成は、外部周辺装置を購入しセットアップするという面倒な作業に煩わされるのを望まない人間にとって便宜となる。典型例では、ユーザはＤＶＤや所望の外部メディアソース（例えば、ケーブル接続）の電気出力を主装置に接続するだけでよい。
【００１０】
上記に加え、本発明は公知の格納式の薄型スクリーンやブラウン管（ＣＲＴ）テレビからみた様々な利点や優位性がある。特に本発明は、薄型スクリーン映像ディスプレイユニットが格納し展開するだけでよいため、低コストで大量生産することが可能である。他の公知の薄型スクリーン格納型テレビの構成では、主要な機器の全部が格納される必要がある。この場合はチェーンドライブやラック・ピニオン機構といった比較的ヘビーディーティなリフト機構の使用が必要となる。重量を軽減すべく、本発明は簡単なドライブベルト機構を用いており、これは動作が速く、静かで、より経済的に生産することができる。
【００１１】
本発明により融通性を持たせた応用例は、多数のユーザの日常のスケジュールに適合するよう構成される。構成によるが、典型例では、日中に光ディスクプレイヤーやＡＭ／ＦＭ機器をオーディオ目的で使用することができる。このとき、薄型スクリーン映像ディスプレイユニットはハウジング内に格納された状態で保持される。このため、装置は目立たず部屋の内装にとけこむ。夜になり、薄型スクリーン映像ディスプレイユニットを上昇させてテレビを見ることができる。便利なことに、装置のベースにホイールを設けてこの装置を屋内やオフィスで別の場所に移動させることができる。
【００１２】
本発明により融通性を持たせたさらなる応用例は、限られたスペースの場所で利用可能である。上述したように、この装置は薄型スクリーン映像ディスプレイユニットが格納状態にあるときに目立たず、小さな部屋の内装を引き立てる。これは、特にホテルや病院などで見られる小さなサイズの部屋への適用に利点となる。持ち運びや移動が簡単であるため、修理のためにすぐに移動したり、及び／又は必要に応じて入れ替えたりすることができる。
【００１３】
本発明により融通性を持たせたさらなる応用例は、可搬性とセットアップが容易であることが重要な特徴となる教育施設で使用することができる。スクリーンが格納状態にあれば、監視下にないときでも、スクリーンや敏感な音声／映像機器は物理的な衝撃から好適に保護される。
【発明を実施するための最良の形態】
【００１４】
本発明により製造される音声／映像システム用の支持装置が、組み立てられた状態で図１−６に示されている。この装置は、全体を符号１０で示される外部ハウジングを具え、このハウジングはフロントパネル１２、リアパネル１４、当該フロントパネルとリアパネルの間に延在する両側のサイドパネル１６，１８とを具える。これらのパネルはすべて、ハウジングのベース２０からハウジングの頂部２２へと上側に延在している。
【００１５】
図７に示すように、フロントパネル１２は、パネル１２とベース２０とを（例えば、ネジで）Ｌ字型ブラケット５０で固定してベース２０に取り付けられている。リアパネル１４と、サイドパネル１６，１８と、頂部２２とは単一のユニットとして構成され、（例えば、ネジで）フロントパネル１２に取り外し可能に取り付けられる。これらのパネル、ベース２０、トップ２２はすべて丈夫な材料で構成され、好適には積層材か適切な重合材料が用いられる。
【００１６】
サイドパネル１６，１８はそれぞれハンドル凹部２４を具え、装置を持ち上げて移動できるようにしている。さらに、ベース２０の下側に取り付けられたホイールキャスタ２６が移動を容易にしている（図６参照）。
【００１７】
頂部２２は、中央に設けられた細長い開口３０を具え、この開口は薄型スクリーン映像ディスプレイユニット９０（ディスプレイスクリーン９２を含む）が上下に通過移動できるサイズに構成される。図１−３において、ディスプレイユニット９０はハウジング１０の上に展開された状態で示されている。図４では、ディスプレイユニット９０はハウジング１０内に格納され、したがって見えなくなっている。好適には、ディスプレイユニット９０は上述したスイベルマウントに支持されており、ユニットをスクリーン９２の縦軸で見やすいように回動することができる。
【００１８】
本発明は、様々なサイズの様々なタイプの薄型スクリーンディスプレイ（例えば、液晶ダイオード、プラズマ、有機発光ダイオードスクリーンなど）に適用可能である。ディスプレイユニット９０は、本発明の動作に関連する範囲のみをここに説明する。
【００１９】
より詳細には、図２−３、６−１１に最もよく示すように、ディスプレイユニット９０はスイベルマウントの下側筒状部１６０の頂部に取り付けられている。図９に示すように、要素１６０の底部は昇降プラットホーム１５０の頂部に受けられており、当該プラットホームにボルトや他の適切な手段（図示せず）で固定された保持リング１６２で示す場所に保持されている。リング１６２により、筒状部１６０はプラットホーム１５０に対して回動可能であるが、上側への移動ができないようになっている。このスイベルマウントはまた、雄部分１６０からディスプレイユニット９０の背面に沿って上側に延びる支持アームを具えている。昇降プラットホーム１５０は、全体を符号１００で示す昇降機構の一部を構成している。中央の穴１６３がプラットホーム１５０と雄部分１６０とを通って延在しており、この穴１６３のすぐ裏に設けられたケーブルコネクタ１６４からディスプレイユニット９０へ電源や映像信号のケーブルを配線できるようになっている。
【００２０】
昇降機構１００は、ハウジング１０のベース２０に（例えば、ネジで）固定する下側フランジ１０４を有する支持フレームワーク１０２を具えている。このフレームワークは、射出形成したグラスファイバーの重合材料、板状金属あるいは他の適切な材料で構成される。同時に、昇降機構１００はフレームワーク１０２の両側に対のドライブベルト１２０とこれに対応する対の駆動モータ１３０とを具えている。各ベルト１２０は、回転可能に配設された対応する上下のシャフト１２２，１２４の周りに延在する。シャフト１２４はそれぞれ、対応するいずれかのモータ１３０にドライブシャフトとして連結されており、対応するベルト１２０に直接噛み合うスピンドル部１２６を具えている。シャフト１２４の遠位の端部はそれぞれ、好ましくはハウジングの一部に設けられたベアリング（図示せず）によりシャフトが回転できるように、フレームワーク１０２に固定されたハウジング１２９に支持されている。好適には、ベルト１２０とシャフト１２４のスピンドル部はそれぞれ噛み合っており、ベルトとシャフトがスリップしないよう担保されている。図１０に最も良く示すように、シャフト１２２の両端部もフレームワーク１０２に固定されたハウジング１２９内に延在している。シャフト１２２，１２４はスチール合金や他の適切な材料で構成される。
【００２１】
図９、１０に示すように、プラットホーム１５０の両端部はネジ１３３でベルト１２０に固定される。図９では、プラットホームは上側ポジションにあり、昇降機構１００とハウジング１０の上にディスプレイユニット９０が展開されている。図９左側のベルト１２０が時計回りに回転し、図９右側のベルト１２０が同時に反時計回りに同じレートで回転するよう、モータ１３０を同調させて駆動すると、プラットホーム１５０は図に示す位置からディスプレイユニット９０が昇降機構１００（そして、必然的にハウジング１０）内に完全に格納される下側ポジションへと移動する。好適には、モータ１３０は、所望の上下動の同調を保証するようプログラムされたマイクロプロセッサ（図示せず）により制御される。
【００２２】
プラットホーム１５０をスムースに昇降させるべく、図１０に示すように、このプラットホームは、当該プラットホームの凹部に回動可能に取り付けられ、そこから外側に突出して、フレームワーク１０２の内壁面に垂直方向に延在するガイドレール１７２、１７３内に延在するホイール１７０を具えている。プラットホーム１５０にはさらに、ロックピン１８２が係合する寸法のピン用凹部１８０が設けられている。各ロックピン１８２はピンハウジング１８４に支持され、スプリングで付勢されている。縦方向におけるロックピンハウジングの関連位置が図６−８に最もよく示されている。
【００２３】
制御不能となった場合（すなわち、装置への電力が完全消失した場合）、ピン１８２はそれぞれのハウジングから図１０に示す位置に飛び出す。制御可能な場合、これらのピンはプラットホームが上側ポジションにある場合に、プラットホームを下げるコマンドがあるまで、図のように好適にプラットホーム１５０に係合する。プラットホームを下げるコマンドがあった場合、これらのピンはプラットホームからスプリング付勢に逆らって電磁的に収縮し、ディスプレイユニット９０が完全に展開された位置にプラットホームを上昇させるコマンドがあり実際にその位置に到達するまで収縮したままとなる。これらの機能のすべては、当業者が簡単に設計してマイクロプロセッサ制御により実現することができる。このため、ここにおけるさらなる詳細な説明は控える。
【００２４】
このとき、プラットホーム１５０が搬送する唯一の実質的な荷重要素はディスプレイユニット９０のみであることに注目すべきである。ワイヤ、ケーブル、付随するコネクタは比較的軽量であるため考慮しないとして、上述した実施例はディスプレイユニット９０以外に他の主要な（すなわち重い）映像機器をプラットホーム１５０で搬送せず、またプラットホーム１５０で何らの音声機器を搬送する必要もない。したがって、昇降機構１００は好ましくもあまり頑丈にしなくてよく、ディスプレイユニット以外の音声・映像機器の相当な重量を搬送する必要のある機構よりコストを下げることができる。
【００２５】
図面において、音声・映像機器は単に代表的な方法で示されている。様々な与えられた音声／映像システム受信機において、アンプ、スピーカ、電源、コントローラ、信号処理回路、コネクタ、ワイヤ、ケーブル等を含む機器はすべてデザイン選択のルーチンマターであることを理解するであろう。
【００２６】
したがって、ディスプレイユニット９０に加え、あくまでも例示として、図に示す装置が支持する映像／音声機器は、
（ａ）チューナまたはチャネル切り換えコマンド、ボリューム制御コマンド、プラットホーム１５０の昇降を切り換えるコマンド、電源コード４０２で受けるＡＣ電源のオン／オフを切り換える電源スイッチといった入力コマンドを受信するコントロールパネル４００（このようなコマンドはマニュアルで、及び／又は赤外線コントロールやＲＦコントロール等のリモートコマンドで供給される）。このコントロールパネル４００は、フロントパネル１２に設けられたボックス４１１内に収められている。
（ｂ）同じくボックス４１１に収められ、ＣＤ及び／又はＤＶＤなどの光ディスク用のプレイヤー４１０；
（ｃ）フロントパネル１２のグリル４２４、４２６の後ろに設けられた左右のスピーカアセンブリ４２０、４２２と、フロントパネル１２のグリル４３０の後ろに設けられたセンタスピーカ４２８と、フロントパネル１２のグリル４３４の後ろに設けられたサブウーハースピーカ４３２（これらのグリルは、ポリエステル織物や音の伝搬に適した重合材料を形成して作成することができる）；
（ｄ）リアパネル１４に取り付けられたパネル４４０であって、このパネルはデジタルとアナログのデータを入出力する例えば：外部スピーカ用の左右の出力コネクタ４４２、４４４、同じ仕様のＤＶＩセットトップボックスまたはコンピュータからの完全に非圧縮の高密度信号を受信するＤＶＩ−ＨＤＴＶ入力４４６といった複数のコネクタを具える；
（ｅ）ベース２０に設けられ、システム操作に用いる主要な電子機器４５０，４５１，４５２（これらの機器はベース２０に設けられたファン４５４で冷却される）。
【００２７】
上記列挙した機器のいずれもプラットホーム１５０で搬送されるものではないことに注目されたい。これらの機器の最も敏感で重量もある部分は、好ましくは装置の下側１／３に配置される。この構成により、転倒が防止されて装置の安定性が保証され、敏感な電子機器を保護することができる。
【００２８】
ディスプレイユニット９０の操作に必要な機器４５０、４５１、４５２は、ワイヤまたはケーブル（図示せず）でフレームワーク１０２のクロスメンバ１２１に取り付けられたコネクタ１６６に接続される必要がある。銅あるいは他の適切な材料からなる柔らかく被覆されたリボンケーブル１６８が、コネクタ１６６からコネクタ１６４まで上側に延びており、ディスプレイユニットに電力と映像信号を供給する。ディスプレイユニットが格納位置にあるとき、ケーブル１６８は自身の上に曲げられる。
【００２９】
添付のクレームの概念および範囲内で本発明の様々な変形、変更、バリエーションが可能であり、疑いなく当業者であれば可能である。本発明は、添付の図面を用いて図示するとともに説明した特定の実施例により限定されると解すべきではない。クレームにおいて、ミーンズ・プラス・ファンクションの節は、ここに記載した機能を奏するよう記述した様々な構成を含み、これは構造的な均等物のみならず同等の構造物をも含む。
【図面の簡単な説明】
【００３０】
【図１】図１は、本発明にかかる装置の前側の斜視図であり、装置から薄型スクリーン映像ディスプレイユニットが引き出されている状態を示す。
【図２】図２は、図１に示す装置の後側の斜視図である。
【図３】図３は、図１に示す装置の側面図である。
【図４】図４は、図１に示す装置の前側の斜視図であり、薄型スクリーン映像ディスプレイユニットが格納され見えない状態を示す。
【図５】図５は、図１に示す装置の平面図である。
【図６】図６は、図１に示す装置の底面図である。
【図７】図７は、後側からみた部分分解斜視図であり、図１の装置の一部を構成するベースと、フロントパネルと、昇降機構とを示す。
【図８】図８は、図７に示すベース、フロントパネル、昇降機構の後側の斜視図であるが、組み立てられた状態を示す。同時に、図８は図１に示す外部ハウジングのサイドパネルとリアパネルと頂部とが、ハウジングのベースとフロントパネルから取り外された状態を示す。
【図９】図９は、図１を垂直面でとった断面図であり、装置の様々な内部部品の関連位置を示す図である。
【図１０】図１０は、図９の上部を水平面でとった部分断面図であり、昇降機構に組み込まれたローラと電磁ロックピンの位置を示す図である。
【図１１】図１１は、昇降機構の一部を形成するモータ、シャフト、ドライブベルトの部分拡大斜視図である。
【図１】
2007535227.tif 000003
【図２】
2007535227.tif 000004
【図３】
2007535227.tif 000005
【図４】
2007535227.tif 000006
【図５】
2007535227.tif 000007
【図６】
2007535227.tif 000008
【図７】
2007535227.tif 000009
【図８】
2007535227.tif 000010
【図９】
2007535227.tif 000011
【図１０】
2007535227.tif 000012
【図１１】
2007535227.tif 000013
【手続補正書】
【提出日】平成17年8月22日(2005.8.22)
【手続補正１】
【補正対象書類名】特許請求の範囲
【補正対象項目名】全文
【補正方法】変更
【補正の内容】
【特許請求の範囲】
【請求項１】
音声／映像システムを支持する装置であって、前記システムは薄型スクリーン映像ディスプレイユニット（９０）と、前記ユニットに操作可能に接続され表示可能な映像信号を生成する映像機器と、１以上のスピーカを有し音声信号を生成する音声機器とを具えており、前記装置が：
（ａ）自立型の外部ハウジング（１０）であって、フロントパネル（１２）と、リアパネル（１４）と、前記フロントパネルとリアパネルの間で前記ハウジングのベース（２０）から前記ハウジングの頂部（２２）まで延在する両側のサイドパネル（１６，１８）とを具え、前記頂部が前記ディスプレイユニットを上下に出し入れしうる寸法の細長い開口（３０）を具え、前記映像機器と前記音声機器が前記ハウジングに固定的に取り付けられた外部ハウジングと；
（ｂ）前記ディスプレイユニット用の昇降機構（１００）とを具え、当該機構は前記外部ハウジング内に完全に収まっており当該外部ハウジング内で上側に延在し、前記機構が：
（ｉ）前記ディスプレイユニットを搬送するよう構成された昇降プラットホーム（１５０）と；
（ｉｉ）前記プラットホームに搬送されるディスプレイユニットが前記機構内に格納される下側ポジションと、前記プラットホームに搬送されるディスプレイユニットが前記昇降機構と外部ハウジングの上に展開される上側ポジションとの間で前記プラットホームを移動させる手段（１２０，１３０）と、を具えることを特徴とする装置。
【請求項２】
請求項１に記載の装置において、前記プラットホーム（１５０）が両端部を有し、各端部が対応するモータ（１３０）に駆動される対応するドライブベルト（１２０）により移動され、前記プラットホームが上側ポジションと下側ポジションの間で移動することを特徴とする装置。
【請求項３】
請求項１に記載の装置において、さらに、前記プラットホームが上側ポジションにあるときに、前記ディスプレイユニット（９０）を支持し、前記プラットホームに対し回動可能とするスイベルマウント（１６０，１６１）を具えることを特徴とする装置。
【請求項４】
請求項２に記載の装置において、さらに、前記プラットホームが上側ポジションにあるときに、前記ディスプレイユニット（９０）を支持し、前記プラットホームに対し回動可能とするスイベルマウント（１６０，１６１）を具えることを特徴とする装置。
【請求項５】
請求項１に記載の装置において、前記フロントパネル（１２）が前記ベース（２０）に取り付けられ、前記リアパネル（１４）とサイドパネル（１６，１８）と頂部（２２）が、前記ベースに着脱可能に取り付けられた単一のユニットとして形成されていることを特徴とする装置。
【請求項６】
請求項２に記載の装置において、前記フロントパネル（１２）が前記ベース（２０）に取り付けられ、前記リアパネル（１４）とサイドパネル（１６，１８）と頂部（２２）が、前記ベースに着脱可能に取り付けられた単一のユニットとして形成されていることを特徴とする装置。
【請求項７】
請求項３に記載の装置において、前記フロントパネル（１２）が前記ベース（２０）に取り付けられ、前記リアパネル（１４）とサイドパネル（１６，１８）と頂部（２２）が、前記ベースに着脱可能に取り付けられた単一のユニットとして形成されていることを特徴とする装置。
【請求項８】
請求項４に記載の装置において、前記フロントパネル（１２）が前記ベース（２０）に取り付けられ、前記リアパネル（１４）とサイドパネル（１６，１８）と頂部（２２）が、前記ベースに着脱可能に取り付けられた単一のユニットとして形成されていることを特徴とする装置。
【請求項９】
音声／映像システムであって、当該システムが：
（ａ）薄型スクリーン映像ディスプレイユニット（９０）と、当該ディスプレイユニットと操作可能に接続され表示可能な映像信号を生成する映像機器と、１以上のスピーカを有し音声信号を生成する音声機器と；
（ｂ）自立型の外部ハウジング（１０）であって、フロントパネル（１２）と、リアパネル（１４）と、前記フロントパネルとリアパネルの間で前記ハウジングのベース（２０）から前記ハウジングの頂部（２２）まで延在する両側のサイドパネル（１６，１８）とを具え、前記頂部が前記ディスプレイユニットを上下に出し入れしうる寸法の細長い開口を具え、前記映像機器と前記音声機器が前記ハウジングに取り付けられた外部ハウジングと；
（ｃ）前記ディスプレイユニット用の昇降機構（１００）とを具え、
当該機構は前記外部ハウジングに完全に収まっており前記外部ハウジング内で上側に延在し、前記機構が：
（ｉ）前記ディスプレイユニットを搬送する昇降プラットホーム（１５０）と；
（ｉｉ）前記プラットホームに搬送されるディスプレイユニットが前記機構内に格納される下側ポジションと、前記プラットホームに搬送されるディスプレイユニットが前記昇降機構と外部ハウジングの上に展開される上側ポジションとの間で前記プラットホームを移動させる手段（１２０，１３０）と、を具えることを特徴とするシステム。
【請求項１０】
請求項９に記載のシステムにおいて、前記プラットホーム（１５０）が両端部を有し、各端部が対応するモータ（１３０）に駆動される対応するドライブベルト（１２０）により移動され、前記プラットホームが上側ポジションと下側ポジションの間で移動することを特徴とするシステム。
【請求項１１】
請求項９に記載のシステムにおいて、さらに、前記プラットホームが上側ポジションにあるときに、前記ディスプレイユニット（９０）を支持し、前記プラットホームに対し回動可能とするスイベルマウント（１６０，１６１）を具えることを特徴とするシステム。
【請求項１２】
請求項１０に記載のシステムにおいて、さらに、前記プラットホームが上側ポジションにあるときに、前記ディスプレイユニット（９０）を支持し、前記プラットホームに対し回動可能とするスイベルマウント（１６０，１６１）を具えることを特徴とするシステム。
【請求項１３】
請求項９に記載のシステムにおいて、前記フロントパネル（１２）が前記ベース（２０）に取り付けられ、前記リアパネル（１４）とサイドパネル（１６，１８）と頂部（２２）が、前記ベースに着脱可能に取り付けられた単一のユニットとして形成されていることを特徴とするシステム。
【請求項１４】
請求項１０に記載のシステムにおいて、前記フロントパネル（１２）が前記ベース（２０）に取り付けられ、前記リアパネル（１４）とサイドパネル（１６，１８）と頂部（２２）が、前記ベースに着脱可能に取り付けられた単一のユニットとして形成されていることを特徴とするシステム。
【請求項１５】
請求項１１に記載のシステムにおいて、前記フロントパネル（１２）が前記ベース（２０）に取り付けられ、前記リアパネル（１４）とサイドパネル（１６，１８）と頂部（２２）が、前記ベースに着脱可能に取り付けられた単一のユニットとして形成されていることを特徴とするシステム。
【請求項１６】
請求項１２に記載のシステムにおいて、前記フロントパネル（１２）が前記ベース（２０）に取り付けられ、前記リアパネル（１４）とサイドパネル（１６，１８）と頂部（２２）が、前記ベースに着脱可能に取り付けられた単一のユニットとして形成されていることを特徴とするシステム。
【国際調査報告】
2007535227.tif 000014
2007535227.tif 000015